(57)【特許請求の範囲】
【請求項１】
少なくとも冷媒と室内空気とを熱交換して空気調和した室内空気を吐出口から吐出す際に、連動して当該室内空気をガイドする複数の縦羽根と、該縦羽根の底部が挿入される下板と、前記下板を挟んで前記縦羽根の底部と係合して、当該縦羽根が前記下板に対して回転摺動できるようにする爪板とを備えて、前記縦羽根で設定された方向に室内空気が吐出されるようにする風向設定器を有した空気調和機において、
前記爪板が挿嵌される環状の爪溝及び突設された位置規制リブが前記縦羽根の底部に設けられると共に、前記縦羽根の底部を前記下板に挿入した際に前記位置規制リブが挿入され、前記縦羽根が回動した際に当該位置規制リブが端部に当接して該縦羽根の揺動範囲を規定するリブ穴が前記下板に設けられ、かつ、前記リブ穴の上に前記爪板が位置しないように、前記リブ穴と反対位置から前記爪板を前記爪溝に挿嵌して前記縦羽根を前記下板に係合してなることを特徴とする空気調和機。
【発明の詳細な説明】
【０００１】
【発明の属する技術分野】
本発明は、風向設定器により空気調和された空気を所定方向に吐出す際に、部材の弾性等により風向設定位置が変化しないようにした空気調和機に関する。
【０００２】
【従来の技術】
今日、一般家庭においてエアコンと称される空気調和機が広く普及し、そのなかでも室外に配設される室外機と室内に配設される室内機とに分離された分離型空気調和機が一般的である。
【０００３】
図４はかかる室内機１１０の断面であり、当該室内機１１０は冷媒と室内空気とを熱交換させる室内熱交換器１１１、室内空気を室内熱交換器１１１を介して循環させるクロスフローファン１１２等を有して、このクロスフローファン１１２により吸気口１１３から室内機１１０内に室内空気が吸気され、室内熱交換器１１１を経ることにより空気調和された後、吐出口１１４から再度室内に吐出される。
【０００４】
この吐出口１１４には、吐出方向を設定する風向設定器１１５が設けられている。図５はかかる風向設定器１１５の底面図で、該風向設定器１１５は複数の縦羽根１２０により形成されている。
【０００５】
そして、各縦羽根１２０は下板１２１に回動自在に取付けられ、また全ての縦羽根１２０は連結材１２２により一体に連結されている。従って、１つの縦羽根１２０を回転させることにより他の縦羽根１２０が連動して同一方向に設定されるようになっている。
【０００６】
なお、図５（ａ）は風向設定器１１５が中立状態（室内機１１０の真正面に空気が吐出される状態）の縦羽根１２０のようすを示し、また図５（ｂ）は、図面上で上方から下方に流動する空気が右下方向に吐出されるように設定したときの状態（室内機１１０に向った場合、空気が右手方向に吐出される状態）を示している。
【０００７】
各縦羽根１２０の底部には、下板１２１と当接する当接部１２５、爪板１２６が挿嵌する爪溝１２７を備えた係合部１２８とが設けられると共に、真中の縦羽根１２０には設定する左右方向の揺動限界位置を規定する位置規制リブ１２９が設けられている。
【０００８】
また、各縦羽根１２０は連結ヒンジ１３０を介して連結材１２２と連結され、これらは樹脂等により一体成形されている。
【０００９】
この連結ヒンジ１３０は、部材の厚みを薄くすることにより材料の弾性変形特性を利用して容易に曲るようになっている。
【００１０】
図６は下板１２１の上面図で、下板１２１には縦羽根１２０の係合部１２８が挿入される係合穴１３１が設けられ、その内真中の係合穴１３１には位置規制リブ１２９が動ける範囲を規定するリブ穴１３２が連通して設けられている。
【００１１】
また図７は爪板１２６の上面図で、爪板１２６には爪溝１２７に挿入される爪１３３、該爪１３３を爪溝１２７に挿入する際に当該爪１３３が逃げて容易に弾性変形できるようする逃溝１３４が複数設けられている。
【００１２】
図８は、このような縦羽根１２０等により構成された風向設定器１１５の底面図（真中の縦羽根１２０の底面図のみを示す）で、縦羽根１２０の係合部１２８を下板１２１の係合穴１３１に挿入し、係合穴１３１から飛出した係合部１２８の爪溝１２７に爪板１２６を挿嵌することにより縦羽根１２０が下板１２１側に力を受けて当接部１２５が下板１２１に当接する。
【００１３】
これにより真中の縦羽根１２０を回転させると、そのときの力が連結材１２２により各縦羽根１２０に伝達され、各縦羽根１２０はそれぞれの係合部１２８を中心に回動して同一方向に設定され、下板１２１と当接部１２５との摩擦により縦羽根１２０が元の位置に戻らないようになっている。
【００１４】
なお、真中の縦羽根１２０には位置規制リブ１２９が設けられ、この位置規制リブ１２９はリブ穴１３２の範囲しか動けないので、当該位置規制リブ１２９がリブ穴１３２の端部に当接することにより方向設定範囲が規定されるようになる。
【００１５】
【発明が解決しようとする課題】
しかしながら、図８からもわかるように爪板１２６がリブ穴１３２側から爪溝１２７に挿嵌されて、リブ穴１３２を塞ぐように配設される構成であるため以下の問題があった。
【００１６】
即ち、図５（ｂ）に示すように連結材１２２からの力により、連結ヒンジ１３０が曲がり、各縦羽根１２０が回転する。このとき、連結ヒンジ１３０が容易に曲るようにするため（復元力を小さくするため）、この連結ヒンジ１３０は、部材（樹脂等）の弾性特性を利用すると共に、厚みを薄くして形成されている。
【００１７】
そして、爪板１２６を係合部１２８に係合した際の当該係合力の垂直成分（下板１２１に垂直な成分）により、当接部１２５を下板１２１に当接させて、そのとき発生する摩擦力で縦羽根１２０を元の位置に戻らないようにしている。
【００１８】
しかし、リブ穴１３２の上方に位置する爪板１２６部分（図８において斜線領域）は、かかる垂直成分が発生し得えず、又は発生しても弱いため、縦羽根１２０が元の位置に戻ってしまう場合があった。
【００１９】
無論、リブ穴１３２は中央に１つ設けられているだけなので、全ての当接部１２５が下板１２１に当接する当接総面積に対してリブ穴１３２の上に爪板１２６が存在することによる当接面積（図８の斜線領域の面積）の減少量は小さい。従って、リブ穴１３２の上に爪板１２６が存在することによる摩擦力の減少も小さい。
【００２０】
ところで、上述したように縦羽根１２０、下板１２１及び爪板１２６等は樹脂等により形成されているため、高い寸法精度を要求することが困難である。
【００２１】
そして、復元力のバラツキは連結ヒンジ１３０の寸法バラツキにより決るが、摩擦力のバラツキは各部材の寸法バラツキの総和により決り、復元力と摩擦力とが略等しくなるような場合が生じる。
【００２２】
このような状態の風向設定器１１５を使用した場合、摩擦による当接部１２５等の摩耗が少しでも進むと、復元力が摩擦力より大きくなって縦羽根１２０が元の位置に戻ってしまうようになる。
【００２３】
このような製品は、品質管理の段階で不良品として除外されるので、歩留り向上せずコストアップの要因となっている。
【００２４】
従って、摩擦力を少しでも大きくすることが（無論、摩擦力の上限は存在する）、歩留り向上等の観点から要求される。
【００２５】
また、爪板１２６をリブ穴１３２側から爪溝１２７に挿嵌する際には、リブ穴１３２の位置に対応する爪板１２６部分（爪板１２６の中央部分）を把持して挿嵌作業が行われる。
【００２６】
従って、爪板１２６を挿嵌しても把持部分が浮いた状態となるので、作業者は確実に挿嵌されたことを注意深く検査しなければならず作業コストの上昇を招く問題があった。
【００２７】
そこで、本発明は縦羽根と下板との摩擦力を少しでも大きくするようにして歩留りを向上させると共に、爪板を挿嵌する際の確認作業を容易にしてコストの低減を図った空気調和機を提供することを目的とする。
【００２８】
【課題を解決するための手段】
上記課題を解決するため、本発明は、少なくとも冷媒と室内空気とを熱交換して空気調和した室内空気を吐出口から吐出す際に、連動して当該室内空気をガイドする複数の縦羽根と、該縦羽根の底部が挿入される下板と、下板を挟んで縦羽根の底部と係合して、当該縦羽根が下板に対して回転摺動できるようにする爪板とを備えて、縦羽根で設定された方向に室内空気が吐出されるようにする風向設定器を有した空気調和機において、爪板が挿嵌される環状の爪溝及び突設された位置規制リブが縦羽根の底部に設けられると共に、縦羽根の底部を下板に挿入した際に位置規制リブが挿入され、縦羽根が回動した際に当該位置規制リブが端部に当接して該縦羽根の揺動範囲を規定するリブ穴が下板に設けられ、かつ、リブ穴の上部に爪板が位置しないように、リブ穴と反対位置から爪板を爪溝に挿嵌して縦羽根を下板に係合する。これにより縦羽根と下板との摩擦力を少しでも大きくするようにして歩留りを向上させると共に、爪板を挿嵌する際の確認作業を容易にしてコストの低減を図ったことを特徴とする。
【００２９】
【発明の実施の形態】
本発明の実施の形態を図を参照して説明する。空気調和機は、室外に配設される室外機、室内に配設される室内機１１０、温水を供給する熱源機等を有して、室外機と室内機１１０とは冷媒配管により接続されている。なお、従来と同一構成については同一符号を付して説明を適宜省略する。
【００３０】
図１はかかる空気調和機の回路図で、室外機２００は冷媒を圧縮する圧縮機２０１、冷媒と外気とを熱交換させる室外熱交換器２０２、冷媒を減圧又は絞る減圧装置２０３等により構成されている。
【００３１】
室内機１００は、図２に示すように冷媒と室内空気とを熱交換させる室内熱交換器である冷却用熱交換器１０１、温水と室内空気とを熱交換させる加熱用熱交換器１０２、室内空気を冷却用熱交換器１０１や加熱用熱交換器１０２を介して循環させるクロスフローファン１０３等により構成されている。さらに熱源機３００は、ボイラ等により構成されている。
【００３２】
そして、室内空気はクロスフローファン１０３により吸気口１１３から室内機１００に吸気され、冷却用熱交換器１０１や加熱用熱交換器１０２を経ることにより空気調和された後、吐出口１１４から再度室内に吐出される。
【００３３】
この吐出口１１４の下板１２１は吐出通路側に張出した風向設定器１４０が設けられている。
【００３４】
図３は風向設定器１４０の底面図（真中の縦羽根１２０の底面図のみを示す）であり、当該風向設定器１４０を構成する部材は、図５＃図７に示した縦羽根１２０、下板１２１及び爪板１２６等である。
【００３５】
図３からもわかるように、従来と同一部材を用いているが、爪板１２６の挿嵌方向が逆になっている。即ち、爪板１２６を爪溝１２７に挿嵌する際には、爪１３３の先にリブ穴１３２が位置するように挿嵌している。
【００３６】
これにより、爪板１２６の裏面側にリブ穴１３２が存在することが無くなり、縦羽根１２０の当接部１２５と下板１２１との摩擦が増大する。
【００３７】
従って、縦羽根１２０、下板１２１及び爪板１２６等を樹脂等により形成した場合に、これらの寸法バラツキにより復元力のバラツキが生じても、当該復元力が摩擦力より大きくなることが少なくなって歩留が向上しコストダウンが図られる。
【００３８】
また、爪板１２６の中央部分を把持して挿嵌作業を行っても、把持部分がリブ穴１３２にかからないので、爪板１２６を爪溝１２７に挿嵌すると当該爪板１２６は下板１２１に密着するようになる。従って、挿嵌されたことが容易に確認でき、作業コストの低減が図られる。
【００３９】
このような構成で冷房運転を行うときは、圧縮機２０１で圧縮されて高温高圧になった冷媒は、室外熱交換器２０２に供給されて外気と熱交換して凝縮し、減圧装置２０３で減圧又は絞られる。
【００４０】
その後冷媒は、冷却用熱交換器１０１に供給されて室内空気と熱交換して蒸発し、圧縮機２０１に戻る。冷却用熱交換器１０１で蒸発する際の蒸発熱は、室内空気から奪うので、この室内空気は冷却されて冷房が行われる。
【００４１】
一方、暖房運転時には、圧縮機２０１を停止して、熱源機３００から加熱用熱交換器１０２に温水を供給する。これにより室内空気は温水と熱交換して温風となって室内に吐出されて暖房が行われる。
【００４２】
さらに除湿運転するときは、冷房運転及び暖房運転が同時運転されて、冷却用熱交換器１０１を通過することにより冷却されて湿度が下がった室内空気を加熱用熱交換器１０２で暖めて湿度が低く、かつ、略室温の空気を室内に吐出すことにより除湿が行われる。
【００４３】
【発明の効果】
以上説明したように本発明によれば、リブ穴の上部に爪板が位置しないようにリブ穴と反対位置から爪板を爪溝に挿嵌して縦羽根を下板に係合するようにしたので、縦羽根と下板との摩擦力を少しでも大きくすることができ歩留りが向上すると共に、爪板を挿嵌する際の確認作業が容易になってコストの低減が図れる。
【図面の簡単な説明】
【図１】本発明の実施の形態の説明に適用される冷凍回路図である。
【図２】室内機の断面図である。
【図３】風向設定器の底面図である。
【図４】従来の技術の説明に適用される室内機の断面図である。
【図５】縦羽根の構成を示す底面図である。
【図６】下板の構成を示す上面図である。
【図７】爪板の構成を示す上面図である。
【図８】従来の技術の説明に適用される風向設定湖の底面図である。
【符号の説明】
１１４  吐出口
１２０  縦羽根
１２１  下板
１２２  連結材
１２５  当接部
１２６  爪板
１２７  爪溝
１２８  係合部
１２９  位置規制リブ
１３０  連結ヒンジ
１３１  係合穴
１３２  リブ穴
１３３  爪
１３４  逃溝
１４０  風向設定器
【図１】
0003877455.tif 000002
【図２】
0003877455.tif 000003
【図３】
0003877455.tif 000004
【図４】
0003877455.tif 000005
【図５】
0003877455.tif 000006
【図６】
0003877455.tif 000007
【図７】
0003877455.tif 000008
【図８】
0003877455.tif 000009